(57)【特許請求の範囲】
【請求項１】
駆動用電源を与える電池を収納する電池収納部を背面側に備えた本体と、前記本体の前記背面側に着脱可能に構成され、装着時に前記電池収納部を覆うとともに離脱時に前記電池収納部を露出可能な蓋部材と、を備えた電気機器を、前記本体と前記蓋部材とが分離した状態で梱包する電気機器用の梱包物であって、
前記本体のうち前記電池収納部と反対側の前面側を目視可能に収納する第１凹部、及び、前記蓋部材のうち前記装着時に前記電池収納部を覆う内面側と反対側の外面側を目視可能に収納する第２凹部、を備え、透過性部材により構成されたパック部材と、
前記第１凹部に収納された前記本体の前記背面側、及び、前記第２凹部に収納された前記蓋部材の前記内面側、を覆うように、前記パック部材に固定された、第１プレートと、
を有し、
前記第１プレートは、
前記パック部材の前記第１凹部に収納された前記本体の前記電池収納部を、当該電池収納部への電池装填が可能なように露出させる第１開口窓を備える
ことを特徴とする電気機器用の梱包物。
【請求項２】
請求項１記載の電気機器用の梱包物において、
前記第１プレートの前記パック部材と反対側に対し接触・離間可能で、接触時には前記第１開口窓を覆うように、前記第１プレート又は前記パック部材に設けられた第２プレートを有する
ことを特徴とする電気機器用の梱包物。
【請求項３】
請求項２記載の電気機器用の梱包物において、
前記第２プレートは、
前記パック部材の端部に対し挿抜可能で、前記端部への挿入時には前記第１プレートに対し接触して前記第１開口窓を覆い、前記端部からの抜き出し時には前記第１プレートから離脱して前記第１開口窓を露出させる
ことを特徴とする電気機器用の梱包物。
【請求項４】
請求項２記載の電気機器用の梱包物において、
前記第２プレートは、
一端が前記第１プレートに対し折り畳み・展開可能に結合されており、折り畳み時には前記第１開口窓を覆い、展開時には前記第１開口窓から離れて当該第１開口窓を露出させる
ことを特徴とする電気機器用の梱包物。
【請求項５】
請求項１乃至請求項４のいずれか１項記載の電気機器用の梱包物において、
前記電気機器は、
ラベル用テープを供給するカートリッジを装着可能なカートリッジホルダと、前記カートリッジホルダに装着された前記カートリッジから供給される前記ラベル用テープに印字を行って印字ラベルを作成するラベル作成手段とを有し、前記本体が、前記カートリッジホルダを背面側に備え、前記蓋部材が、装着時に前記電池収納部及び前記カートリッジホルダを覆うとともに離脱時に前記電池収納部及び前記カートリッジホルダを露出可能である、ラベル作成装置であり、
前記第１プレートは、
前記パック部材の前記第１凹部に収納された前記本体の前記カートリッジホルダを、当該カートリッジホルダへのカートリッジ着脱が可能なように露出させる第２開口窓を備える
ことを特徴とする電気機器用の梱包物。
【請求項６】
請求項５記載の電気機器用の梱包物において、
前記パック部材の前記第１凹部は、
前記ラベル作成手段により作成された前記印字ラベルを梱包物外へ排出可能な、排出口を備える
ことを特徴とする電気機器用の梱包物。
【請求項７】
請求項１乃至請求項６記載の電気機器用の梱包物において、
前記電気機器の前記本体は、
操作者が操作可能な操作部を前面側に備えており、
前記パック部材の前記第１凹部は、操作者の押圧により前記透過性部材越しに前記操作部を操作可能な、押圧操作領域を備えている
ことを特徴とする電気機器用の梱包物。
【請求項８】
駆動用電源を与える電池収納部を背面側に備えた本体、及び、前記本体の前記背面側に着脱可能に構成され、装着時に前記電池収納部を覆うとともに離脱時に前記電池収納部を露出可能な蓋部材、を備えた電気機器と、
前記本体と前記蓋部材とが分離した状態で梱包する電気機器用の梱包物と、
を有する電気機器梱包体であって、
前記電気機器用の梱包物は、
前記本体のうち前記電池収納部と反対側の前面側を目視可能に収納する第１凹部、及び、前記蓋部材のうち前記装着時に前記電池収納部を覆う内面側と反対側の外面側を目視可能に収納する第２凹部、を備え、透過性部材により構成されたパック部材と、
前記第１凹部に収納された前記本体の前記背面側と前記第２凹部に収納された前記蓋部材の前記内面側とを覆うように前記パック部材に固定されるとともに、前記パック部材の前記第１凹部に収納された前記本体の前記電池収納部を、当該電池収納部への電池装填が可能なように露出させる第１開口窓を備えた、第１プレートと、
を有することを特徴とする電気機器梱包体。
【発明の詳細な説明】
【技術分野】
【０００１】
本発明は、パック部材と台紙等のプレートから構成される電気機器用の梱包物及びこれを備えた電気機器梱包体に関する。
【背景技術】
【０００２】
従来、梱包された電気機器を目視可能に収納する電気機器用の梱包物が知られている。この梱包物は、例えば透明ＰＥＴ（ポリエチレンテレフタレート）等で構成されたパック部材と、台紙等のプレートから構成されている。パック部材には電気機器の前面側を収納する凹部が形成されており、この凹部に電気機器を収納した状態でパック部材にプレートが固定されることで、電気機器が梱包される。
【０００３】
このような梱包物において、梱包状態のままで電気機器の試し動作を行いたいというニーズに対応し、梱包物の上から電気機器のキー操作を行えるようにした梱包物が提唱されている（例えば、特許文献１参照）。この従来技術では、ビニール袋に収納された電気機器を、電気機器の操作キーに対応する部分に開口部を設けた梱包物で梱包する。これにより、操作者は梱包状態のままビニール袋を介して電気機器の操作キーを操作できる。
【先行技術文献】
【特許文献】
【０００４】
【特許文献１】実開平５−６１０６９号公報
【発明の概要】
【発明が解決しようとする課題】
【０００５】
上記従来技術の梱包物を用いることにより、梱包状態のまま電気機器の操作キーを操作することが可能である。しかしそのためには、電池を機器本体に装填した状態で梱包する必要がある。この場合、自然放電により電池が消耗してしまい、購入者が電気機器を使用する際に駆動できなくなるおそれがあった。また、放電した状態の電池を機器本体に装填したままにしておくと、液漏れを生じ、電気機器に悪影響を及ぼすおそれがあった。
【０００６】
本発明の目的は、電池を機器本体に装填した状態とすることなく、梱包状態のまま電気機器を試し動作することができる電気機器用の梱包物及び電気機器梱包体を提供することにある。
【課題を解決するための手段】
【０００７】
上記目的を達成するために、第１発明の電気機器用の梱包物は、駆動用電源を与える電池を収納する電池収納部を背面側に備えた本体と、前記本体の前記背面側に着脱可能に構成され、装着時に前記電池収納部を覆うとともに離脱時に前記電池収納部を露出可能な蓋部材と、を備えた電気機器を、前記本体と前記蓋部材とが分離した状態で梱包する電気機器用の梱包物であって、前記本体のうち前記電池収納部と反対側の前面側を目視可能に収納する第１凹部、及び、前記蓋部材のうち前記装着時に前記電池収納部を覆う内面側と反対側の外面側を目視可能に収納する第２凹部、を備え、透過性部材により構成されたパック部材と、前記第１凹部に収納された前記本体の前記背面側、及び、前記第２凹部に収納された前記蓋部材の前記内面側、を覆うように、前記パック部材に固定された、第１プレートと、を有し、前記第１プレートは、前記パック部材の前記第１凹部に収納された前記本体の前記電池収納部を、当該電池収納部への電池装填が可能なように露出させる第１開口窓を備えることを特徴とする。
【０００８】
本願第１発明の梱包物の梱包対象となる電気機器は、本体と、蓋部材とを備えている。本願第１発明の電気機器用の梱包物では、パック部材と第１プレートとが協働して、上記本体と上記蓋部材とが分離した状態で梱包を行う。すなわち、電気機器の本体は、前面側がパック部材の第１凹部に目視可能に収納されるとともに、背面側は第１プレートによって覆われる。また、電気機器の蓋部材は、外面側がパック部材の第２凹部に目視可能に収納されるとともに、内面側は第１プレートによって覆われる。
【０００９】
ここで、電気機器は、電池を駆動用電源とする電池駆動の機器である。本体の背面側に、電池を収納する電池収納部が設けられ、蓋部材が取り外された状態では、電池収納部は露出する状態となる。そして、本願第１発明では、第１プレートが第１開口窓を備えている。これにより、上記のようにして第１凹部及び第１プレートの協働により本体が梱包され、本体の背面側が第１プレートにより覆われたときであっても、上記第１開口窓によって、電池収納部は第１プレートの外側に露出される。この結果、本体の背面側が第１プレートにより覆われた梱包体の状態で、電池収納部に対し電池を装填し、駆動することができる。これにより、梱包状態のまま試し動作をさせることができるので、購入を検討する消費者や、当該消費者に対し販売を行う販売員にとっての、利便性を向上することができる。その際、電池を装填した状態で梱包する場合のような、自然放電による電池の消耗や、電池からの液漏れの心配がない。
【００１０】
第２発明の電気機器用の梱包物は、上記第１発明において、前記第１プレートの前記パック部材と反対側に対し接触・離間可能で、接触時には前記第１開口窓を覆うように、前記第１プレート又は前記パック部材に設けられた第２プレートを有することを特徴とする。
【００１１】
これにより、上記試し動作をさせるときのみ第２プレートを第１プレートから離脱させ、第１開口窓を露出させて電池装填を行う一方、それ以外のときには第２プレートにより第１開口窓を覆うことができる。この結果、大きく空いた開口窓から埃やゴミや水分が本体の背面側へ侵入するのを防止することができる。
【００１２】
第３発明の電気機器用の梱包物は、上記第２発明において、前記第２プレートは、前記パック部材の端部に対し挿抜可能で、前記端部への挿入時には前記第１プレートに対し接触して前記第１開口窓を覆い、前記端部からの抜き出し時には前記第１プレートから離脱して前記第１開口窓を露出させることを特徴とする。
【００１３】
これにより、第２プレートをパック部材の端部から引き抜き第１開口窓を露出させて上記試し動作をさせた後は、第２プレートをパック部材の端部に挿入することで第１開口窓を再び覆い、容易にもとの状態に復帰させることができる。
【００１４】
第４発明の電気機器用の梱包物は、上記第２発明において、前記第２プレートは、一端が前記第１プレートに対し折り畳み・展開可能に結合されており、折り畳み時には前記第１開口窓を覆い、展開時には前記第１開口窓から離れて当該第１開口窓を露出させることを特徴とする。
【００１５】
これにより、第１プレートと結合された第２プレートを展開して第１開口窓を露出させて上記試し動作をさせた後は、第２プレートを折り畳むことで第１開口窓を再び覆い、容易にもとの状態に復帰させることができる。
【００１６】
第５発明の電気機器用の梱包物は、上記第１乃至第４発明のいずれかにおいて、前記電気機器は、ラベル用テープを供給するカートリッジを装着可能なカートリッジホルダと、前記カートリッジホルダに装着された前記カートリッジから供給される前記ラベル用テープに印字を行って印字ラベルを作成するラベル作成手段とを有し、前記本体が、前記カートリッジホルダを背面側に備え、前記蓋部材が、装着時に前記電池収納部及び前記カートリッジホルダを覆うとともに離脱時に前記電池収納部及び前記カートリッジホルダを露出可能である、ラベル作成装置であり、前記第１プレートは、前記パック部材の前記第１凹部に収納された前記本体の前記カートリッジホルダを、当該カートリッジホルダへのカートリッジ着脱が可能なように露出させる第２開口窓を備えることを特徴とする。
【００１７】
本願第５発明の梱包対象となる電気機器は、電池を駆動用電源とする電池駆動のラベル作成装置である。本体の背面側に、電池を収納する電池収納部と、ラベル用テープを供給可能なカートリッジを装着可能なカートリッジホルダとが設けられ、蓋部材が取り外された状態では、電池収納部及びカートリッジホルダが露出する状態となる。そして、本願第５発明では、第１プレートが第１開口窓に加えて第２開口窓を備えている。これにより、上記のようにして本体が梱包され本体の背面側が第１プレートにより覆われたとき、上記第１開口窓で電池収納部が第１プレートの外側に露出されるとともに、第２開口窓でカートリッジホルダが第１プレートの外側に露出される。この結果、本体の背面側が第１プレートにより覆われた梱包体の状態で、電池収納部に対し電池を装填するとともに、カートリッジホルダにカートリッジを装着して、駆動して印字ラベルの作成を行うことができる。
【００１８】
これにより、梱包状態のまま、印字ラベルの作成を試行することができるので、ラベル作成装置の購入を検討する消費者や、当該消費者に対し販売を行う販売員にとっての、利便性を向上することができる。
【００１９】
第６発明の電気機器用の梱包物は、上記第５発明において、前記パック部材の前記第１凹部は、前記ラベル作成手段により作成された前記印字ラベルを梱包物外へ排出可能な、排出口を備えることを特徴とする。
【００２０】
これにより、上記のようにして試しに作成した印字ラベルを、円滑に梱包物外へと排出することができる。
【００２１】
第７発明の電気機器用の梱包物は、上記第１乃至第６発明のいずれかにおいて、前記電気機器の前記本体は、操作者が操作可能な操作部を前面側に備えており、前記パック部材の前記第１凹部は、操作者の押圧により前記透過性部材越しに前記操作部を操作可能な、押圧操作領域を備えていることを特徴とする。
【００２２】
これにより、上記のようにして梱包状態のまま試し動作させるとき、起動操作やその後の各種操作を操作者が円滑に行うことができる。
【００２３】
上記目的を達成するために、第８発明の電気機器梱包体は、駆動用電源を与える電池収納部を背面側に備えた本体、及び、前記本体の前記背面側に着脱可能に構成され、装着時に前記電池収納部を覆うとともに離脱時に前記電池収納部を露出可能な蓋部材、を備えた電気機器と、前記本体と前記蓋部材とが分離した状態で梱包する電気機器用の梱包物と、を有する電気機器梱包体であって、前記電気機器用の梱包物は、前記本体のうち前記電池収納部と反対側の前面側を目視可能に収納する第１凹部、及び、前記蓋部材のうち前記装着時に前記電池収納部を覆う内面側と反対側の外面側を目視可能に収納する第２凹部、を備え、透過性部材により構成されたパック部材と、前記第１凹部に収納された前記本体の前記背面側と前記第２凹部に収納された前記蓋部材の前記内面側とを覆うように前記パック部材に固定されるとともに、前記パック部材の前記第１凹部に収納された前記本体の前記電池収納部を、当該電池収納部への電池装填が可能なように露出させる第１開口窓を備えた、第１プレートと、を有することを特徴とする。
【００２４】
本願第８発明の電気機器梱包体は、電気機器と、電気機器用の梱包物とを備えている。電気機器は、本体と、蓋部材とを備えている。梱包物では、パック部材と第１プレートとが協働し、電気機器の上記本体と上記蓋部材とが分離した状態で梱包を行う。すなわち、電気機器の本体は、前面側がパック部材の第１凹部に目視可能に収納されるとともに、背面側は第１プレートよって覆われる。また、電気機器の蓋部材は、外面側がパック部材の第２凹部に目視可能に収納されるとともに、内面側は第１プレートによって覆われる。
【００２５】
電気機器は、電池を駆動用電源とする電池駆動の機器である。本体の背面側に、電池を収納する電池収納部が設けられ、蓋部材が取り外された状態では、電池収納部は露出する状態となる。そして、本願第８発明では、第１プレートが第１開口窓を備えている。これにより、上記のようにして第１凹部及び第１プレートの協働により本体が梱包され、本体の背面側が第１プレートにより覆われたときであっても、上記第１開口窓によって、電池収納部は第１プレートの外側に露出される。この結果、本体の背面側が第１プレートにより覆われた梱包体の状態で、電池収納部に対し電池を装填して、駆動することができる。これにより、梱包状態のまま試し動作をさせることができるので、購入を検討する消費者や、当該消費者に対し販売を行う販売員にとっての、利便性を向上することができる。その際、電池を装填した状態で梱包する場合のような、自然放電による電池の消耗や、電池からの液漏れの心配がない。  
【発明の効果】
【００２６】
本発明によれば、電池を機器本体に装填した状態とすることなく、梱包状態のまま電気機器を試し動作することができる。
【図面の簡単な説明】
【００２７】
【図１】本発明の一実施の形態の印字ラベル作成装置の全体構成を表す斜視図である。
【図２】着脱カバーが取り外され、かつ、カートリッジ及び乾電池をカートリッジホルダ及び電池収納部に装着した状態における印字ラベル作成装置の内部構造を表す斜視図である。
【図３】着脱カバーが取り外され、かつ、カートリッジ及び乾電池をカートリッジホルダ及び電池収納部から取り外した状態における印字ラベル作成装置の内部構造を表す斜視図である。
【図４】カートリッジの内部構造を表す平面図である。
【図５】着脱カバーの前面を表す斜視図である。
【図６】梱包物を構成するパック部材及びプレートの詳細構造を表す斜視図である。
【図７】パック部材とプレートとにより、印字ラベル作成装置を着脱カバーと本体とを分離した状態で梱包する状態を表す斜視図である。
【図８】第１開口窓及び第２開口窓から乾電池及びカートリッジを装填する前の状態を表す梱包物の斜視図である。
【図９】第１開口窓及び第２開口窓から乾電池及びカートリッジを装填した後の状態を表す梱包物の斜視図である。
【図１０】プレートの下側に第２プレートを重ねてパック部材に固定する変形例の梱包物の構造を表す斜視図である。
【図１１】プレートと第２プレートとを互いに折り畳んでパック部材に固定する変形例の梱包物の構造を表す斜視図である。
【発明を実施するための形態】
【００２８】
以下、本発明の一実施の形態を図面を参照しつつ説明する。なお、以下の各図内に「前」「後」「左」「右」「上」「下」の注記がある場合、明細書中の説明における、前方、後方、左方、右方、上方、下方は、その注記された方向を指す。
【００２９】
図１を用いて、本実施形態の印字ラベル作成装置１の全体構成を説明する。
図１に示すように、電気機器としての印字ラベル作成装置１は、ユーザの手によって把持されるハンディ型の印字ラベル作成装置である。この印字ラベル作成装置１の筐体６は、装置前面を構成する前カバー６Ａと、装置後面を構成する後カバー６Ｂとで構成されている。さらにこの後カバー６Ｂは、種々の機構を内蔵する後カバー本体６Ｂ１と、カートリッジ３１や乾電池８（いずれも後述の図２参照）を着脱する際に後カバー本体６Ｂ１より取り外し可能な着脱カバー６Ｂ２とで構成されている。
【００３０】
上記前カバー６Ａの上側には、印刷データや、設定画面等を表示するための液晶表示部（図示せず）が設けられている。この液晶表示部の前面は、例えば透明のアクリル板等であるカバーパネル２Ａによって覆われている。液晶表示部の下側には、印字ラベル作成装置１を操作するためのキーボード部３が設けられている。このキーボード部３には、文字、記号及び数字等の文字キーや、種々の機能キーが含まれている。また上記後カバー本体６Ｂ１の右側上端には、印刷済みラベル用テープ８０（後述の図４参照）を切断するためのカットレバー４が設けられている。
【００３１】
次に図２及び図３を用いて、着脱カバー６Ｂ２を取り外した状態の印字ラベル作成装置１の内部構造を説明する。なお、図２はカートリッジ３１及び乾電池８をカートリッジホルダ７及び電池収納部９に装着した状態、図３はカートリッジ３１及び乾電池８をカートリッジホルダ７及び電池収納部９から取り外した状態を表している。
【００３２】
これら図２及び図３に示すように、上記前カバー６Ａ及び上記後カバー本体６Ｂ１の内部には、樹脂により成形されたフレーム１３が配設されている。そして、このフレーム１３の後側上部には、カートリッジ３１を着脱するために凹状に形成された平面視矩形状の上記カートリッジホルダ７が設けられている。カートリッジホルダ７の下側には、モータ（図示せず）を収納するためのモータ収納部５が設けられている。モータ収納部５のさらに下側には、乾電池８を収納するための上記電池収納部９が設けられている。
【００３３】
上記フレーム１３の上部には、印刷済みラベル用テープ８０を外部に排出するためのテープ排出スリット２４が形成されている。また、フレーム１３の右側上部には、ローラホルダ１７（詳細は後述）が設けられている。ローラホルダ１７の後側には、当該ローラホルダ１７を覆うように設けられ、板状形状を有した板部２５が設けられている。なお、この板部２５はフレーム１３と一体的に形成されている。さらに、この板部２５の上部には、開口部である突起部挿入口１０が設けられている。この突起部挿入口１０には、上記着脱カバー６Ｂ２が後カバー本体６Ｂ１に着脱される際に、着脱カバー６Ｂ２に設けられた突起部４５（後述の図５参照）が挿抜される。
【００３４】
なお、詳細は後述するが、ローラホルダ１７は左右方向に揺動可能に設けられている。そして、図２及び図３では煩雑防止のために図示を省略しているが、手動操作によりローラホルダ１７を左右方向に揺動可能な手動レバーが、上記板部２５に設けられている。
【００３５】
また、後カバー本体６Ｂ１の上端部にはロック穴１１が設けられ、下端部にはロック穴１２が２箇所設けられている。これらロック穴１１，１２には、上記着脱カバー６Ｂ２が後カバー本体６Ｂ１に取り付けられた際に、着脱カバー６Ｂ２に設けられたロック部材４７，４８（後述の図５参照）がそれぞれ嵌め込まれる。
【００３６】
上記フレーム１３の略中央部には凹状に形成されたギア用凹部２６が設けられている。ギア用凹部２６には、ギア（図示せず）が設けられており、当該ギアの歯部は隠蔽用傘部１１４によって覆われ露出しない構造となっている。そして、ギアの後側には、インクリボン５５（後述の図４参照）を巻き取るためのリボン巻取軸１４が立設されている。
【００３７】
また、リボン巻取軸１４の右側にはリブ３０が立設されている。このリブ３０の右側面には矩形状の放熱板であるヒートシンク１５が設けられている。そして、リブ３０とテープ排出スリット２４との間には、ローラ軸２０が立設されている。ローラ軸２０の左側には、凸部２７が立設されている。この凸部２７は、カートリッジ３１の凹部（図示せず）に挿入されることで、カートリッジ３１の前後方向の位置決めをするものである。
【００３８】
次に図４を用いて、カートリッジ３１の内部構造を説明する。なお、この図４には、カートリッジ３１の内部構造と共に、ローラホルダ１７、リブ３０、ヒートシンク１５、サーマルヘッド１６等を図示している。
【００３９】
図４に示すように、カートリッジケース３３内の左側下部には、透明フィルム状のカバーフィルム５１を巻回したカバーフィルムスプール５２が回転可能に配置されている。このカバーフィルムスプール５２から繰り出されたカバーフィルム５１は、カートリッジ開口３７１に向けて案内され、当該カートリッジ開口３７１から送出される。またカートリッジケース３３内の右側下部には、インクリボン５５を巻回したリボンスプール５６が回転可能に配置されている。このリボンスプール５６から繰り出されたインクリボン５５は、カートリッジ開口３７１に向けて案内され、カバーフィルム５１と共に送出される。
【００４０】
カバーフィルムスプール５２とリボンスプール５６との間には、リボン巻取スプール５７が回転可能に配置されている。このリボン巻取スプール５７は、リボンスプール５６からインクリボン５５を引き出すと共に、文字等の印刷で消費されたインクリボン５５を巻き取る。
【００４１】
カートリッジケース３３内の上部には、基材テープ５３を巻回した基材テープスプール５４が回転可能に配置されている。この基材テープスプール５４から繰り出された基材テープ５３は、テープ搬送ローラ３９に向けて案内され、当該基材テープ５３と印刷済のカバーフィルム５１とが、テープ搬送ローラ３９と押圧ローラ１９２とによって圧着されて印刷済みラベル用テープ８０となり、ラベル用テープ排出口５９に向けて搬送される。
【００４２】
また、カートリッジホルダ７に装着されたカートリッジ３１の右側には、プラテンローラユニット１８と押圧ローラユニット１９とを備えたアーム状のローラホルダ１７が、軸支部１７１を中心に左右方向に揺動可能に設けられている。後カバー本体６Ｂ１に対し上記着脱カバー６Ｂ２が取り付けられると、突起部４５（後述の図５参照）によりローラホルダ１７がカートリッジ３１方向に移動する。これにより、ローラホルダ１７に設けられた押圧ローラユニット１９とプラテンローラユニット１８とが印刷位置（図４に示す位置）に移動する。
【００４３】
なお、後カバー本体６Ｂ１から着脱カバー６Ｂ２が取り外された状態においても、前述した手動レバーを用いてローラホルダ１７をカートリッジ３１方向に移動させ、押圧ローラユニット１９とプラテンローラユニット１８とを上記印刷位置に移動することが可能である。さらに、手動レバーを用いてローラホルダ１７をカートリッジ３１から離れる方向に移動させ、押圧ローラユニット１９とプラテンローラユニット１８とを待機位置（図３に示す位置）に移動するも可能である。このとき、手動レバーにより印刷位置又は待機位置に移動されたローラホルダ１７は、図示しないロック機構によりその位置に保持されるように構成されている。
【００４４】
上記プラテンローラユニット１８は、ヒートシンク１５の右側に配置されている。プラテンローラユニット１８には、プラテンローラ１８２とプラテンローラ用ギア（図示せず）とが設けられている。プラテンローラ１８２は、ヒートシンク１５の右側面に設けられたサーマルヘッド１６に対向する位置に配置されている。サーマルヘッド１６は、押圧ローラ１９２、プラテンローラ１８２等により搬送されるカバーフィルム５１に対し、所望の印字を行うものである。プラテンローラ用ギアは、フレーム１３の前側に設けられたギア（図示せず）に噛合されており、モータから動力を伝達されたプラテンローラ用ギアが回転することで、プラテンローラ１８２が回転する。これにより、プラテンローラユニット１８が印刷位置に移動した際に、プラテンローラ１８２は、カバーフィルム５１とインクリボン５５とをサーマルヘッド１６に対して押圧しつつ、文字、図形、記号等が印刷されたカバーフィルム５１をその回転により押圧ローラユニット１９の方向へ搬送する。
【００４５】
押圧ローラユニット１９には、押圧ローラ１９２と押圧ローラ用ギア（図示せず）とが設けられている。押圧ローラ１９２は、上記ローラ軸２０に対向する位置に配置されおり、カバーフィルム５１、基材テープ５３、及び印刷済みラベル用テープ８０を、上記テープ排出スリット２４へ向かう搬送経路（矢印ア，イ，ウ参照）に沿って搬送する。ローラ軸２０は、円柱状に形成された円柱部２０１と、この円柱部２０１の外周から外側に向かって放射状に形成された６個のリブ２０２とから構成されている。また、ローラ軸２０は、カートリッジ３１に設けられたテープ搬送ローラ３９の軸孔３９１に挿入され、テープ搬送ローラ３９を回転可能に支持している。
【００４６】
押圧ローラ用ギアは、上記フレーム１３の前側に設けられたギア（図示せず）に噛合されており、モータから動力を伝達された押圧ローラ用ギアが回転することで、押圧ローラ１９２が回転する。これにより、押圧ローラユニット１９が印刷位置に移動した際に、押圧ローラ１９２は、カバーフィルム５１と基材テープ５３とを、ローラ軸２０に回転可能に支持されたテープ搬送ローラ３９に対して押圧する。これにより、印刷が行われたカバーフィルム５１と基材テープ５３とが圧着され印刷済みラベル用テープ８０となり、上記ラベル用テープ排出口５９より排出される。なお、その後の印刷済みラベル用テープ８０は、押圧ローラ１９２等により下から上へ搬送されて上記テープ排出スリット２４へ案内され、印字ラベル作成装置１の外部に排出される。
【００４７】
次に図５を用いて、着脱カバー６Ｂ２の構造について説明する。
図５に示すように、着脱カバー６Ｂ２の前面６ａの左側上端部には前述したロック部材４７が立設され、下端部には前述した２つのロック部材４８が立設されている。着脱カバー６Ｂ２が上記後カバー本体６Ｂ１に対し取り付けられた際に、これらロック部材４７，４８がそれぞれ上記後カバー本体６Ｂ１に設けられたロック穴１１，１２（図２等参照）に嵌め込まれる。これにより、着脱カバー６Ｂ２の自然開放が防止される。
【００４８】
また、着脱カバー６Ｂ２の前面６ａの右側上部には、突起部４５が垂直に立設されている。着脱カバー６Ｂ２が上記後カバー本体６Ｂ１に対し着脱されることにより、突起部４５が上記後カバー本体６Ｂ１に設けられた突起部挿入口１０（図２等参照）に挿抜される。これにより、上記ローラホルダ１７を印刷位置（図４に示す位置）に移動させたり、待機位置（図３に示す位置）に移動させたりすることができる。なお、前述したように、着脱カバー６Ｂ２を後カバー本体６Ｂ１から取り外した状態においても、手動レバーを操作することによって上記ローラホルダ１７の印刷位置及び待機位置への移動を行うことが可能である。
【００４９】
以上のような構成である印字ラベル作成装置１は、店頭にて販売される際に梱包物Ｐによって梱包される。このとき、印字ラベル作成装置１は、本体としての前カバー６Ａ及び後カバー本体６Ｂ１と、蓋部材としての着脱カバー６Ｂ２とが分離された状態で梱包される。梱包物Ｐは、上記前カバー６Ａ及び後カバー本体６Ｂ１を収納する第１凹部７２及び着脱カバー６Ｂ２を収納する第２凹部７３を備え、例えばＰＥＴ（ポリエチレンテレフタレート）等の透過性部材で構成されたパック部材７１と、このパック部材７１に固定されたプレート８１とを有している。本実施形態では、この梱包状態となった印字ラベル作成装置１に対し、正常に駆動するか否かを梱包を解くことなく試し動作することができるように、上記プレート８１に、電池収納部７３への電池装填が可能なように電池収納部７３を露出させる開口窓８２等を設けている。以下、この詳細について説明する。
【００５０】
なお、以下の説明では適宜、前カバー６Ａ及び後カバー本体６Ｂ１を「本体１Ａ」と記載する。この場合において、本体１Ａの前側を前面側、後側を背面側と適宜記載する（前述の図２及び図３参照）。また、着脱カバー６Ｂ２について、その前側を内面側、後側を外面側と適宜記載する（前述の図５参照）。
【００５１】
図６及び図７を用いて、梱包物Ｐを構成するパック部材７１及びプレート８１の詳細構造と、これらパック部材７１及びプレート８１により印字ラベル作成装置を着脱カバーと本体とを分離した状態で梱包する状態について説明する。
【００５２】
印字ラベル作成装置１において、上述した本体１Ａは、駆動用電源を与える乾電池８を収納する電池収納部９及びカートリッジ３１を収納するカートリッジホルダ７を背面側に備えている（前述の図３参照）。また、着脱カバー６Ｂ２は、前述したように本体１Ａの背面側に着脱可能であり、本体１Ａへの装着時には電池収納部９及びカートリッジホルダ７を覆うとともに、離脱時には電池収納部９及びカートリッジホルダ７を露出する。
【００５３】
図６（ａ）に示すように、パック部材７１は、例えば透明ＰＥＴ等の透過性部材により構成されており、第１凹部７２及び第２凹部７３を有している。図７に示すように、第１凹部７２は、本体１Ａのうち電池収納部９及びカートリッジホルダ７と反対側の前面側を目視可能に収納する。第２凹部７３は、着脱カバー６Ｂ２のうち装着時に電池収納部９及びカートリッジホルダ７を覆う内面側と反対側の外面側を目視可能に収納する。
【００５４】
詳細には、パック部材７１は、図６（ａ）に示すように、その一端側から他端側にかけて円弧状に傾斜した上面部７１ａと、細長い扇形状の左右側面部７１ｂ，７１ｃと、円弧状の他端面部７１ｄとを有しており、下部が開口した略矩形箱状に形成されている。そして、上面部７１ａに、下側から上方に向けて凹ませた上述の第１凹部７２が形成され、本体１Ａの前面側が収納される。なおこのとき、本体１Ａは、カバーパネル２Ａ側が他端面部７１ｄ側を向くように第１凹部７２に収納される。
【００５５】
また、図６（ａ）に示すように、他端面部７１ｄには、収納される印字ラベル作成装置１のテープ排出スリット２４に対応する位置に、縦長スリット状の排出口７４が穿設され、作成された印字ラベルを梱包物外へ排出可能としている。
【００５６】
また、パック部材７１の第１凹部７２において、印字ラベル作成装置１の操作部であるキーボード部３が収納配置される部分は、例えば他の部分よりも厚みを薄くしたり、あるいは他の部分よりも柔軟な材料を用いる等によって、操作者の押圧によりパック部材７１越しにキーボード部３を操作可能な押圧操作領域７２ａとなっている。
【００５７】
パック部材７１には、第１凹部７２に収納された本体１Ａの背面側、及び、第２凹部７３に収納された着脱カバー６Ｂ２の内面側を覆うように、プレート８１が固定される。このプレート６１は、パック部材７１と同様に例えばＰＥＴ等の透過性部材で構成されたプレートでもよいし、例えば厚紙で構成された台紙でもよい。これにより、印字ラベル作成装置１の本体１Ａは、前面側がパック部材７１の第１凹部７２に目視可能に収納されるとともに、背面側はプレート８１よって覆われる。また、印字ラベル作成装置１の着脱カバー６Ｂ２は、外面側がパック部材７１の第２凹部７３に収納されるとともに、内面側はプレート８１によって覆われる。
【００５８】
図６（ｂ）及び図７に示すように、プレート８１には、パック部材７１の第１凹部７２に収納された本体１Ａの電池収納部９を、当該電池収納部９への乾電池８の装填が可能となるように露出させる第１開口窓８２が形成されている。またプレート８１には、パック部材７１の第１凹部７２に収納された本体１Ａのカートリッジホルダ７を、当該カートリッジホルダ７へのカートリッジ３１の着脱が可能となるように露出させる第２開口窓８３が形成されている。これにより、パック部材７１の第１凹部７２とプレート８１との協働により本体１Ａが梱包され、本体１Ａの背面側がプレート８１により覆われたときであっても、上記第１開口窓８２によって電池収納部９がプレート８１の外側に露出され、上記第２開口窓８３によってカートリッジホルダ７がプレート８１の外側に露出される（後述の図８及び図９参照）。
【００５９】
なお、図示は省略するが、プレート８１には、上記第１開口窓８２及び第２開口窓８３以外にも、前述した手動レバーを操作するための開口が設けられている。操作者は、当該開口を介してプレート８１の外側より手動レバーを操作し、ローラホルダ１７を印刷位置及び待機位置に移動することが可能である。
【００６０】
次に、図８及び図９を用いて、第１開口窓８２及び第２開口窓８３から電池収納部９及びカートリッジホルダ７に乾電池８及びカートリッジ３１をそれぞれ装着する手順について説明する。
【００６１】
図８及び図９に示すように、印字ラベル作成装置１は、梱包物Ｐによって梱包されたときであっても、プレート８１の第１開口窓８２によって本体１Ａの電池収納部９がプレート８１の外側に露出され、第２開口窓８３によってカートリッジホルダ７がプレート８１の外側に露出される。この結果、第１開口窓８２を介して電池収納部９に対し乾電池８を装填し、第２開口窓８３を介してカートリッジホルダ７に対しカートリッジ３１を装着することが可能である。そして、操作者は、前述した手動レバーを用いてローラホルダ１７を印刷位置に移動させた上で、印字ラベル作成の試し動作を行うことができる。
【００６２】
以上において、プレート８１が特許請求の範囲に記載の第１プレートに相当し、カバーフィルムがラベル用テープに相当する。また、ローラ軸２０及びサーマルヘッド１６が、ラベル作成手段を構成する。さらに、梱包材Ｐと、印字ラベル作成装置１とが、電気機器梱包体を構成する。
【００６３】
以上説明した本実施形態においては、印字ラベル作成装置１が、本体１Ａと着脱カバー６Ｂ２とを備えており、梱包物Ｐは、パック部材７１とプレート８１とが協働して、本体１Ａと着脱カバー６Ｂ２とを分離した状態で印字ラベル作成装置１の梱包を行う。ここで、印字ラベル作成装置１は、乾電池８を駆動用電源とする電池駆動の機器である。すなわち、本体１Ａの背面側に、乾電池８を収納する電池収納部９が設けられ、着脱カバー６Ｂ２が取り外された状態では、電池収納部９は露出する状態となる。そして、本実施形態では、プレート８１が第１開口窓８２を備えている。これにより、本体１Ａが梱包され、本体１Ａの背面側がプレート８１により覆われたときであっても、第１開口窓８２によって、電池収納部９はプレート８１の外側に露出される。この結果、本体１Ａの背面側がプレート８１により覆われた梱包体Ｐの状態で、電池収納部９に対し乾電池８を装填し、印字ラベル作成装置１を駆動することができる。これにより、梱包状態のまま試し動作をさせることができるので、購入を検討する消費者や、当該消費者に対し販売を行う販売員にとっての、利便性を向上することができる。またこのように、乾電池８を印字ラベル作成装置１に装填した状態とすることなく、梱包状態のまま電気機器を試し動作することができるので、乾電池８を装填した状態で梱包する場合のような、自然放電による電池の消耗や、電池からの液漏れの心配がない。
【００６４】
また、本実施形態では特に、印字ラベル作成装置１の本体１Ａの背面側に、乾電池８を収納する電池収納部９と、カバーフィルム５１等を供給可能なカートリッジ３１を装着可能なカートリッジホルダ７とが設けられ、着脱カバー６Ｂ２が取り外された状態では、電池収納部９及びカートリッジホルダ７が露出する状態となる。そして、プレート８１が第１開口窓８２に加えて第２開口窓８３を備えている。これにより、本体１Ａが梱包され本体１Ａの背面側がプレート８１により覆われたとき、第１開口窓８２で電池収納部９がプレート８１の外側に露出されるとともに、第２開口窓８３でカートリッジホルダ７がプレート８１の外側に露出される。この結果、本体１Ａの背面側がプレート８１により覆われた状態で、電池収納部９に対し電池８を装填するとともに、カートリッジホルダ７にカートリッジ３１を装着して、印字ラベル作成装置１を駆動して印字ラベルの作成を行うことができる。この結果、梱包状態のまま、印字ラベルの作成を試行することができるので、印字ラベル作成装置１の購入を検討する消費者や、当該消費者に対し販売を行う販売員にとっての、利便性を向上することができる。
【００６５】
また、本実施形態では特に、パック部材７１の他端面部７１ｄに排出口７４を設ける。これにより、印字ラベル作成装置１で試しに作成した印字ラベルを、円滑に梱包物Ｐ外へと排出することができる。
【００６６】
また、本実施形態では特に、パック部材７１の第１凹部７２に、操作者の押圧によりパック部材７１越しにキーボード部３を操作可能な押圧操作領域７２ａを設ける。これにより、印字ラベル作成装置１の梱包状態のまま試し動作させるとき、起動操作やその後の各種操作を操作者が円滑に行うことができる。
【００６７】
なお、本発明は、上記実施形態に限られるものではなく、その趣旨及び技術的思想を逸脱しない範囲内で種々の変形が可能である。以下、そのような変形例を順を追って説明する。
【００６８】
（１）２枚のプレートを用いる場合
上記実施形態では、プレート８１に第１開口窓８２及び第２開口窓８３を設けるようにしたが、開口窓８２，８３からの埃等の侵入を防止するために、もう１枚のプレートである第２プレート８４を設けるようにしてもよい。この第２プレート８４は、プレート８１のパック部材７１と反対側に対し接触・離間可能で、接触時には第１開口窓８２及び第２開口窓８３を覆うように設けられる。以下、第２プレート８４の具体的な例について説明する。
【００６９】
図１０を用いて、引き抜き式の第２プレート８４について説明する。
図１０に示すように、本変形例のパック部材７１の下側開口縁部には、左右側面部７１ｂ，７１ｃと他端面部７１ｄに沿って、平面視略コの字型で断面略Ｌ字型となったレール状の挿入用ガイド部８５が設けられている。そして、プレート８１と共に第２プレート８４が、挿入用ガイド部８５の開放側から挿入されることで、両プレート８１，８４がパック部材７１に保持固定される。このように、第２プレート８４は、パック部材７１の端部に対し挿入用ガイド部８５を介して挿抜可能な構成となっており、挿入用ガイド部８５への挿入時にはプレート８１に対し接触して第１開口窓８２及び第２開口窓８３を覆い、挿入用ガイド部８５からの抜き出し時にはプレート８１から離脱して第１開口窓８２及び第２開口窓８３を露出させる。
【００７０】
これにより、印字ラベル作成装置１に試し動作をさせるときのみ第２プレート８４をプレート８１から離脱させ、第１開口窓８２及び第２開口窓８３を露出させて乾電池８およびカートリッジ３１の装填を行う一方、それ以外のときには第２プレート８４により第１開口窓８２及び第２開口窓８３を覆うことができる。この結果、大きく空いた開口窓８２，８３から埃やゴミや水分が本体の背面側へ侵入するのを防止することができる。また、第２プレート８４をパック部材７１の端部から引き抜き上記試し動作をさせた後は、第２プレート８４をパック部材７１の端部に挿入することで第１開口窓８２及び第２開口窓８３を再び覆うことができるので、容易にもとの状態に復帰させることができる。
【００７１】
次に図１１を用いて、２つ折り式の第２プレート８４について説明する。
図１１に示すように、本変形例の第２プレート８４は、一端がプレート８１に対し折り目８６を介して折り畳み・展開可能に結合されている。この第２プレート８４は、折り目８６に沿って折り畳んだ時にはプレート８１の第１開口窓８２及び第２開口窓８３を覆い、展開時にはプレート８１から離れて第１開口窓８２及び第２開口窓８３を露出させる。また本変形例では、上述した挿入用ガイド部８５が、パック部材７１の下側開口縁部における左右側面部７１ｂ，７１ｃ側にのみ設けられている。そして、図１１に示すように、プレート８１がパック部材７１の端部に対し他端面部７１ｄ側から挿入用ガイド部８５を介して挿抜可能となっている。これにより、プレート８１がパック部材７１に保持固定される。その結果、プレート８１と結合された第２プレート８４を折り目８６を介して展開し、第１開口窓８２及び第２開口窓８３を露出させて上記試し動作をさせた後は、第２プレート８４を折り畳むことで第１開口窓８２及び第２開口窓８３を再び覆い、容易にもとの状態に復帰させることができる。なお、折り畳まれた第２プレート８４は、図示しない保持具によってプレート８１に接触するよう保持される。
【００７２】
（２）その他
なお、以上では、印字ラベル作成装置１を、着脱カバー６Ｂ２と本体１とを分離した状態で梱包するようにしたが、その代わりに、着脱カバー６Ｂ２に電池収納部９用およびカートリッジホルダ７用のそれぞれの蓋部材を着脱自在に設け、これらの蓋部材と着脱カバー６Ｂ２付きの本体１とを分離した状態で梱包してもよい。
【００７３】
また、以上既に述べた以外にも、上記実施形態や各変形例による手法を適宜組み合わせて利用しても良い。
【００７４】
その他、一々例示はしないが、本発明は、その趣旨を逸脱しない範囲内において、種々の変更が加えられて実施されるものである。
【符号の説明】
【００７５】
１              印字ラベル作成装置（電気機器）
１Ａ            本体
３              キーボード部（操作部）
６Ｂ２          着脱カバー（蓋部材）
７              カートリッジホルダ
８              乾電池（電池）
９              電池収納部
１６            サーマルヘッド（ラベル作成手段）
２０            ローラ軸（ラベル作成手段）
３１            カートリッジ
５１            カバーフィルム（ラベル用テープ）
７１            パック部材
７２            第１凹部
７２ａ          押圧操作領域
７３            第２凹部
７４            排出口
８１            プレート（第１プレート）
８２            第１開口窓
８３            第２開口窓
８４            第２プレート
Ｐ              梱包物
【図１】
0005382455.tif 000002
【図２】
0005382455.tif 000003
【図３】
0005382455.tif 000004
【図４】
0005382455.tif 000005
【図５】
0005382455.tif 000006
【図６】
0005382455.tif 000007
【図７】
0005382455.tif 000008
【図８】
0005382455.tif 000009
【図９】
0005382455.tif 000010
【図１０】
0005382455.tif 000011
【図１１】
0005382455.tif 000012